(57)【特許請求の範囲】
【請求項１】
ｇ線（４３６ｎｍ）、ｈ線（４０５ｎｍ）、ｉ線（３６５ｎｍ）の輝線を含む光を放射する放電ランプと、
受光部を有し、前記放電ランプから放射される光を測定する光測定手段と、
前記光測定手段における測定値に基づき、前記放電ランプへ供給する電力を調整する照明調整手段とを備え、
前記光測定手段が、ｇ線、ｈ線、ｉ線のうち隣り合う２つの輝線間にピーク感度のある分光感度特性を有することを特徴とする露光装置。
【請求項２】
前記分光感度特性における分光感度曲線の半値幅が、前記隣り合う２つの輝線間の波長域よりも広いことを特徴とする請求項１に記載の露光装置。
【請求項３】
前記分光感度特性において、前記隣り合う２つの輝線における感度が、ともに前記ピーク感度の８５パーセント以下であることを特徴とする請求項１に記載の露光装置。
【請求項４】
前記分光感度特性が、ｉ線とｈ線との間の波長域（３６５ｎｍ〜４０５ｎｍ）にピーク感度を有することを特徴とする請求項１乃至３のいずれかに記載の露光装置。
【請求項５】
前記分光感度特性が、ｈ線とｇ線との間の波長域（４０５ｎｍ〜４３６ｎｍ）にピーク感度のある分光感度特性を有することを特徴とする請求項１乃至３のいずれかに記載の露光装置。
【請求項６】
前記分光感度特性における分光感度曲線が、前記ピーク感度を中心とした略ガウス分布曲線によって表されることを特徴とする請求項１乃至５のいずれかに記載の露光装置。
【請求項７】
前記光測定手段が、前記放電ランプから放射される光の照度を測定し、
前記照明調整手段が、一定照度を維持するように供給電力を調整することを特徴とする請求項１乃至６のいずれかに記載の露光装置。
【請求項８】
前記放電ランプが、水銀を０．２ｍｇ／ｍｍ３以上封入した水銀ランプであることを特徴とする請求項１乃至７のいずれかに記載の露光装置。
【請求項９】
受光素子と、入射光路上に配置されるフィルタとを有する受光部と、
前記受光素子に入射する光に基づいて、測光演算する測定部とを備え、
前記受光部が、ｇ線（４３６ｎｍ）、ｈ線（４０５ｎｍ）、ｉ線（３６５ｎｍ）のうち隣り合う２つの輝線間にピーク感度のある分光感度特性を有することを特徴とする測光装置。
【請求項１０】
前記分光感度特性における分光感度曲線の半値幅が、前記隣り合う２つの輝線間の波長域よりも広いことを特徴とする請求項９に記載の測光装置。
【請求項１１】
前記分光感度特性において、前記隣り合う２つの輝線における感度が、ともに前記ピーク感度の８５パーセント以下であることを特徴とする請求項９に記載の測光装置。
【請求項１２】
前記分光感度特性が、ｉ線とｈ線との間の波長域（３６５ｎｍ〜４０５ｎｍ）にピーク感度を有することを特徴とする請求項９乃至１１のいずれかに記載の測光装置。
【請求項１３】
前記分光感度特性が、ｈ線とｇ線との間の波長域（４０５ｎｍ〜４３６ｎｍ）にピーク感度のある分光感度特性を有することを特徴とする請求項９乃至１１のいずれかに記載の測光装置。
【請求項１４】
測光装置本体に信号ケーブルを介して接続可能であり、
受光素子と、
入射光路上に配置されるフィルタとを備え、
輝線であるｇ線（４３６ｎｍ）、ｈ線（４０５ｎｍ）、ｉ線（３６５ｎｍ）のうち隣り合う２つの輝線間にピーク感度のある分光感度特性を有することを特徴とする測光装置の受光部。
【請求項１５】
受光素子と、入射光路上に配置されるフィルタとを有する受光部と、
前記受光素子に入射する光に基づいて、測光演算する測定部とを備え、
前記受光部が、放電ランプから発光される連続的スペクトル光に含まれる、ｇ線（４３６ｎｍ）、ｈ線（４０５ｎｍ）、ｉ線（３６５ｎｍ）のうち、あるいはその他の複数の輝線のうち、隣り合う２つの輝線間にピーク感度のある分光感度特性を有することを特徴とする測光装置。
【発明の詳細な説明】
【技術分野】
【０００１】
本発明は、照度など光を測定する測光装置に関し、特に、露光装置等に使用される放電ランプの放射光に対する光測定に関する。
【背景技術】
【０００２】
露光装置では、フォトレジストなどの感光材料を塗布した基板に対してパターン光を投影し、感光材料にパターンを形成する。高精度のパターンを形成するためには、露光動作中、一定の照射量で光を照射する必要がある。そのため、露光の合間に測光装置を用いて照度等を計測し、放電ランプへの供給電力を調整して点灯制御を行う（例えば、特許文献１、２参照）。
【０００３】
露光装置では、ｇ線（４３６ｎｍ）、ｈ線（４０５ｎｍ）、ｉ線（３６５ｎｍ）の輝線を含む光を発光する高圧／超高圧水銀ランプが使用されている（特許文献３参照）。感光材料も輝線に基づいた感度特性をもっており、照度測定装置においては、ｇ線、ｈ線、ｉ線以外の光を除去するフィルタを設け、フィルタを透過した光に基づいて照度を測定する（例えば、特許文献４参照）。
【先行技術文献】
【特許文献】
【０００４】
【特許文献１】特開平８−８１５４号公報
【特許文献２】特開２００２−５７３６号公報
【特許文献３】特開２０１０−８５９５４号公報
【特許文献４】特開２００２−３４０６６７号公報
【発明の概要】
【発明が解決しようとする課題】
【０００５】
上述した放電ランプでは放電管内が高圧のため、放射照度が、放電変動によるノイズが支配的な状態になり易い。特に、輝線付近では、光エネルギーの自己吸収によって変化が生じ、計測される輝線付近のスペクトル値は、ノイズ的な放電変動に大きく影響される。
【０００６】
そのため、ランプ出力低下が実質的に生じず、放射スペクトル分布全体の変化は小さくても、輝線付近の放射スペクトルだけが変動する場合が生じる。その一方、実際にランプの出力低下によって放射スペクトル分布全体が変動しても、その全体的変動量に比べて輝線付近の放射スペクトル変動が小さい場合もある。
【０００７】
このような放射特性をもつ放電ランプに対し、輝線に合わせてピーク透過率をもつフィルタを使って照度検出すると、そのピーク付近でのノイズ的スペクトル変動に影響されてしまい、スペクトル全体に渡る照度を正確に検出できない。その結果、誤った照度計測に基づいた電力調整を行うことになり、ランプ点灯中、不必要な電力変動が頻繁に続き、ランプ寿命に影響を与える。また、照度以外の測光演算においても、誤った測光値を検出してしまう。
【課題を解決するための手段】
【０００８】
本発明の露光装置は、ｇ線（４３６ｎｍ）、ｈ線（４０５ｎｍ）、ｉ線（３６５ｎｍ）の輝線を含むスペクトル光を発光する放電ランプと、放電ランプから放射される光を測定する照度測定手段と、測定値に基づき、放電ランプへ供給する電力を調整する光調整手段とを備える。
【０００９】
放電ランプとしては、高圧もしくは超高圧水銀ランプが適用可能であり、この場合、ｇ線、ｈ線、ｉ線の輝線スペクトルを含むスペクトルが生じ、放射光のスペクトル分布は、３つの輝線に応じた狭波長域において大きな相対的スペクトル強度をもつ連続的な分光分布曲線を呈する。例えば、放電ランプは、水銀０．２ｍｇ／ｍｍ３以上放電管内に封入された水銀ランプとして適用可能である。
【００１０】
光測定手段の受光部は、例えば、光電変換素子などの受光素子と、入射光路上に配置されるフィルタなどを備え、受光素子へ入射する光によって生じる電気信号に基づいて測定する。受光部の分光感度特性は、受光素子の分光感度特性およびフィルタの分光透過率特性に基づいて定められる。受光素子の分光感度が、特定波長域に偏向的感度をもつことなく、波長域全体に渡っておよそ一定である場合、フィルタの分光透過特性がそのまま受光部の分光感度特性として現れる。
【００１１】
光測定手段は、測定値として、照度、輝度、光量など、放電ランプの放射光に関する様々な物理量のいずれかを測定することが可能である。光調整手段は、計測される測光値を適正な値あるいは一定の値で維持するように、供給電力を調整する。
【００１２】
本発明では、光測定手段の分光感度特性が、隣り合う２つの輝線の間、すなわち、ｉ線（３６５ｎｍ）とｈ線（４０５ｎｍ）の間、あるいは、ｈ線（４０５ｎｍ）とｇ線（４３６ｎｍ）との間に、ピーク感度を設けている。
【００１３】
すなわち、受光部のピーク感度は、本来注視すべきｈ線、ｉ線からシフトした位置にあり、分光感度特性におけるｈ線とｉ線に応じた感度（スペクトル値）は、ピーク感度よりも低い。ピーク感度を頂点としてｉ線およびｈ線に向け感度（スペクトル値）が低くなるため、輝線付近におけるノイズの支配的な放電変動が生じても、その変動に大きく影響されることがなく、放電ランプの光を測定することができる。
【００１４】
たとえば、定照度点灯制御が行われる場合、正確に測定される照度に応じて電力調整することが可能となり、誤った電力調整によって本来必要としない電力変動が生じることなく、安定した定照度点灯が実現される。
【００１５】
分光感度特性は、ピーク感度を中心とした略ガウス分布曲線（正規分布）によって表すことが可能であり、あるいは、バンドパス（帯域）によって表すことも可能である。分光感度曲線としては、ｉ線とｈ線あるいはｇ線、ｉ線からピーク感度をできるだけ離すように構成すればよく、例えば、中間域にピークをもたせるようにしてもよい。
【００１６】
ノイズの支配的な放電変動の影響を避ける一方、ｉ線とｈ線間の波長域、もしくはｈ線とｇ線間の波長域の光を広範囲に漏れなく検出することが望ましい。例えば、光測定手段は、ｉ線とｈ線の間の波長域よりも分光感度曲線の半値幅が広い有効な感度特性をもつようにするのがよい。これによって、ｉ線とｈ線間の波長域におけるスペクトル強度が全体的に精度よく検出される。
【００１７】
例えば、ｈ線とｉ線の波長においてはピーク感度の８５％以下の感度とし、ｈ線とｉ線の間の波長域よりも分光感度曲線の半値幅が広い有効な感度特性を持つようにすればよい。これにより、ノイズによる影響を排除し、全体的スペクトル変動の検出をより確実にすることが可能である。
【００１８】
一方、本発明の他の局面における測光装置は、光電変換素子などの受光素子と、入射光路上に配置されるフィルタとを有する受光部と、受光素子に入射する光に基づいて、測光演算する測定部とを備え、受光部は、ｇ線（４３６ｎｍ）、ｈ線（４０５ｎｍ）、ｉ線（３６５ｎｍ）のうち隣り合う２つの輝線間にピーク感度のある分光感度特性を有することを特徴とする。
【００１９】
本発明においても、受光部の分光感度特性によって正確な照度、輝度、光量などを計測することが可能となり、放電ランプの正確な測光を実現することができる。より具体的な受光部の分光感度特性としては、上述した分光感度特性が適用可能である。
【００２０】
測光装置は、例えば照度、輝度、光量などを検出可能であり、それぞれ照度計、輝度計、光量計として構成可能である。測光装置は、例えばハンディカムタイプの測光装置として構成可能であり、受光部と測定部を一体的にしてもよい。あるいは、受光部と測定部との間に信号ケーブルを介して接続するように構成することも可能である。
【００２１】
一方、卓上タイプの測光装置本体に受光部をケーブル接続させるように構成してもよい。さらに、測光装置を露光装置、あるいは光源装置内に組み込んで使用し、あるいは、露光準備段階で測光装置を描画テーブル等に設置して測光するように構成することも可能である。
【００２２】
本発明の他の局面における測光装置は、受光素子と、入射光路上に配置されるフィルタとを有する受光部と、受光素子に入射する光に基づいて、測光演算する測定部とを備え、隣り合う２つの輝線間にピーク感度のある分光感度特性を有することを特徴とする。
【発明の効果】
【００２３】
本発明によれば、ノイズの支配的な放電変動に影響されることなく、放電ランプの光を適正に測定することができる。
【図面の簡単な説明】
【００２４】
【図１】第１の実施形態である露光装置の概略的ブロック図である。
【図２】受光部の分光感度特性を示した図である。
【図３】放電ランプの分光分布特性を示した図である。
【図４】第２の実施形態における照度計の模式図である。
【図５】第２の実施形態である照度計のブロック図である。
【図６】第１の実施形態とは異なる受光部の分光感度特性を示した図である。
【図７】ｉ線（３６５ｎｍ）に応じた従来受光部（以下では、第１従来受光部という）の分光感度特性を示した図である。
【図８】ｈ線（４０５ｎｍ）に応じた従来受光部（以下では、第２従来受光部という）の分光感度特性を示した図である。
【図９】図７、図８に示す第１、第２従来受光部を使って定照度点灯制御を行ったときのランプ供給電力の変動を示したグラフである。
【図１０】本実施例の受光部を使って定照度点灯制御を行ったときの電力変動を示したグラフである。
【図１１】供給電力を段階的に調整したときに測定される分光分布の変化を示した図である。
【図１２】スペクトル相対積算強度を電力ごとにプロットしたグラフである。
【図１３】スペクトル相対的積算強度の変化率を示したグラフである。
【発明を実施するための形態】
【００２５】
以下では、図面を参照して本発明の実施形態について説明する。
【００２６】
図１は、第１の実施形態である露光装置の概略的ブロック図である。
【００２７】
露光装置１０は、フォトレジストなどの感光材料を表面に形成した基板ＳＷに直接パターンを形成するマスクレス露光装置であって、放電ランプ２１、ＤＭＤ（Digital Micro-mirror Device）２４を備えている。放電ランプ２１からの光に基づいて基板ＳＷを照射し、基板ＳＷの表面にパターンを形成する。
【００２８】
放電ランプ２１は、高圧もしくは超高圧水銀ランプであり、例えば、０．２ｍｇ／ｍｍ３以上の水銀が含まれている。放電ランプのスペクトルは、およそ３３０ｎｍ〜４８０ｎｍにおいて連続的なスペクトル分布であるとともに、ｇ線（４３６ｎｍ）、ｈ線（４０５ｎｍ）、ｉ線（３６５ｎｍ）の輝線スペクトル光を放射する。
【００２９】
放電ランプ２１から放射された光は、照明光学系２３によって平行光に成形され、ミラー２５、ハーフミラー２７Ａ、ミラー２７Ｂを経てＤＭＤ２４に導かれる。ＤＭＤ２４は、数μｍ〜数十μｍの微小矩形状マイクロミラーをマトリクス状に２次元配列させた光変調素子アレイ（例えば、１０２４×７６８）であり、露光制御部６０によって制御される。
【００３０】
ＤＭＤ２４では、露光制御部６０から送られてくる露光データに基づいて、各マイクロミラーがそれぞれ選択的にＯＮ／ＯＦＦ制御される。ＯＮ状態のマイクロミラーにおいて反射した光は、ハーフミラー２７を介して投影光学系２８へ導かれる。そして、ＯＮ状態ミラーからの反射光によって形成される光束、すなわちパターン像の光が基板ＳＷに照射される。基板ＳＷを移動させながらパターンを基板全体に形成する。
【００３１】
露光装置１０は、照度演算制御部３０、受光部４０から構成される照度測定制御装置５０を備えている。照度測定制御装置５０は、放電ランプ２１の照度を測定し、定照度点灯制御を行う。受光部４０が投影光学系２８の照射領域に移動することにより、放電ランプ２１の光は受光部４０へ導かれる。１つの基板に対する描画が終了してから次の基板への描画開始までの間、受光部４０に入射した光に基づいて照度測定を行う。
【００３２】
受光部４０は、光電変換素子などで構成される受光素子４１と、受光素子４１の受光面に対向配置されるフィルタ４２を備え、筐体部分の窓（図示せず）から入射した光は、入射光路上にあるフィルタ４２を通って、受光素子４１に入射する。
【００３３】
後述するように、フィルタ４２は、ｇ線（４３６ｎｍ）、ｈ線（４０５ｎｍ）、ｉ線（３６５ｎｍ）を含む所定帯域の光を透過する分光透過率特性を備えており、その帯域以外の波長域の光を除去する。受光素子４１に入射した光によって生じた信号は、照度演算制御部３０へ送られる。
【００３４】
照度演算制御部３０に入力された信号は、アンプ３５によって増幅処理された後、Ａ／Ｄ変換器３４においてデジタル信号に変換される。そして、演算部３６において照度が算出される。照度算出方法については、従来周知の方法によって求められる。
【００３５】
照度制御部３３は、照度データに基づいてランプ駆動部３２から放電ランプ２１へ供給される電力を調整する。これにより、ランプ点灯している間、照度一定で放電ランプ２１から基板ＳＷに対して光が照射される。
【００３６】
図２は、受光部の分光感度特性を示した図である。図３は、受光部の分光感度特性と放電ランプの分光分布特性を示した図である。図２、３を用いて、受光部の分光感度特性について説明する。
【００３７】
露光装置１０によってパターンを形成する基板ＳＷの感光材料は、水銀線としてｇ線、ｈ線、あるいはｉ線に反応する感光特性を備えていることが多い。図２に示すように、受光部４０の分光感度曲線Ｌ１は、これら輝線に従った波長域３４０〜４８０ｎｍに渡るガウス分布に近似した曲線であり、３８５ｎｍにピーク感度Ｐ１がある。ｈ線（４０５ｎｍ）における感度はＰ２、ｉ線（３６５ｎｍ）における感度はＰ３であり、相対的スペクトル値の最も高いピークＰ１を中心にして、ほぼ対称的な分布曲線になっている。
【００３８】
図３には、受光部の分光感度曲線Ｌ１とともに、放電ランプ２１の分光分布曲線ＳＰが図示されている。ただし、受光部の分光感度曲線Ｌ１は、フィルタ４２の分光透過率特性と受光素子４１の分光感度特性に基づく。放電ランプ２１は、ｇ線（４３６ｎｍ）、ｈ線（４０５ｎｍ）、ｉ線（３６５ｎｍ）の輝線を含めた連続的なスペクトル光を放射し、４３６ｎｍ、４０５ｎｍ、３６５ｎｍ前後の狭い波長幅で鋭いスペクトルパワーをもつ。また、超高圧水銀ランプであるため、比較的スペクトル変化が緩やかであり、広範囲に広がった連続的な分布曲線になっている。
【００３９】
ランプ点灯中、放電ランプ２１の分光分布は、自己吸収（吸収スペクトル）によって変動する。図３では、ｇ線（４３６ｎｍ）、ｈ線（４０５ｎｍ）、ｉ線（３６５ｎｍ）付近で急激にスペクトル値が下がる分光分布曲線を示しており、放電ランプ２１の自己吸収現象が顕著に現れている分光分布特性が図示されている。このような特定の狭い波長域でのスペクトル変動が点灯中不規則に生じる。
【００４０】
本実施形態の受光部４０の分光感度曲線Ｌ１のピークＰ１は、ｈ線（４０５ｎｍ）、ｉ線（３６５ｎｍ）から離れており、隣り合う２つの輝線からほぼ中間の波長をもつ光に対して最大の感度がある。また、ｈ線の波長における感度比Ｒ１１と、ｉ線の波長における感度比Ｒ１２は、Ｐ１と比較して低くなり、Ｐ１＝１．０に対して、Ｒ１１＝０．７０、Ｒ１２＝０．６１であり、ともにＰ１の８５パーセント以下である。
【００４１】
更に、ｈ線とｉ線との間の波長域よりも分光感度曲線の半値幅（△λ／２）が広く、△λ／２＝５０ｎｍである。このように、分光感度曲線Ｌ１の中で感度の高い波長域をｈ線、ｉ線から外し、自己吸収による分光分布の変動に影響を受けず、かつ、ｈ線とｉ線との間の波長域全体に渡って光が透過する。
【００４２】
その結果、受光素子４１に入射する光のスペクトルパワーは、ノイズ的なスペクトル変動に支配されていない光となり、実際の照度が適正に検出される。そして、適正に検出される照度に基づいて、放電ランプ２１への供給電力を調整した定照度点灯が行われ、頻繁な電力調整が抑制される。
【００４３】
このように本実施形態によれば、放電ランプ２１を使用してパターンを形成する露光装置１０が、照度演算制御部３０および受光部４０から構成される照度測定制御装置５０を備え、受光部４０の分光感度曲線Ｌ１は、ピークＰ１がｈ線（４０５ｎｍ）、ｉ線（３６５ｎｍ）からシフトしており、隣り合う２つの輝線からほぼ中間の波長域に設けられている。ピーク感度よりもｈ線とｉ線における感度が低く、ｈ線の波長における感度比Ｒ１と、ｉ線の波長における感度比Ｒ２は、Ｐ１の８５％以下である。更に、ｈ線とｉ線との間の波長域よりも分光感度曲線の半値幅（△λ／２）が広い。
【００４４】
次に、図４〜図６を用いて、第２の実施形態である測光装置について説明する。第２の実施形態では、露光装置から独立した測光装置が照度測定のため使用される。
【００４５】
図４は、第２の実施形態における照度計の模式図である。
【００４６】
ハンディカムタイプの照度計１００は、表示部１２９を備えた本体１２０と受光部１１０とを備え、受光部１１０は、受光部１１０に取り付けられた信号ケーブル１３０を介して、本体１２０の接続部１２７に接続される。図示しない露光装置における照度測定のため、照度計１００の受光部１１０を基板搭載ステージに設置し、所定の測定ポイントに受光部１１０を移動させる。そして、本体１２０の表示部１２９に表示される照度を確認し、放電ランプへの供給電力を調整する。
【００４７】
図５は、第２の実施形態である照度計のブロック図である。
【００４８】
受光部１１０は、受光部本体１１０Ｈの上面に設けられた窓１１２の下方に、フィルタ１１４および受光素子１１６を備えており、受光部１１０は、受光素子１１６に対向配置されている。ここでは、第１の実施形態と同様の分光感度特性を有する受光部１１０だけでなく、後述する分光感度特性を有する受光部１１０’が、選択的に本体１２０へ接続可能である。
【００４９】
図６は、第１の実施形態とは異なる受光部の分光感度特性を示した図である。
【００５０】
図６に示すように、受光部１１０’の分光感度分布曲線Ｌ２は、およそ４２２ｎｍをピークＰ２としたガウス分布に近似した曲線であり、ｇ線（４３６ｎｍ）とｈ線（４０５ｎｍ）の略中心位置にピークＰ２が存在する。また、ｇ線の波長における感度比Ｒ２１、ｈ線の波長における感度比Ｒ２２は、Ｐ２と比較して低くなり、Ｐ２＝１．０に対して、Ｒ２１＝０．６４、Ｒ２２＝０．７１であって、ともにＰ１の８５パーセント以下である。
【００５１】
更に、ｇ線とｈ線との間の波長域よりも分光感度曲線の半値幅（△λ／２）が広く、△λ／２＝４３ｎｍである。このように分光感度曲線Ｌ２がｇ線とｈ線との略中間にピークＰ２があるため、自己吸収などによるノイズ支配のスペクトル変動の影響を受けることなく、かつ、ｈ線とｉ線との間の波長域全体のスペクトル光を適切に透過し、受光素子１１６へ導く。
【００５２】
受光部１１０の受光素子１１６、もしくは受光部１１０’の受光素子１１６’において生じた電気信号は、アンプ１２２によって増幅処理された後、Ａ／Ｄ変換器１２４によってデジタル信号に変換される。そして、演算部１２８において照度が演算される。求められた照度データは、表示部１２９において表示される。コントローラ１２６は、本体内部の電源回路、信号処理回路を制御する。
【００５３】
なお、第１、第２の実施形態では照度計が測光装置として構成されているが、輝度計、積算光量計、積算強度計など、他の測光装置を適用することも可能である。この場合、測光装置本体において、受光に基づいた信号から輝度、光量、強度などが従来知られた演算処理方法に従って算出される。また、本体１２０をハンディカムタイプだけでなく、卓上型装置として構成することも可能である。さらに、ガイド溝を用いたスライド機構などによって、選択的にフィルタを受光部へ着脱自在に装着してもよい。
【００５４】
放電ランプとしては、上記以外の水銀ランプを使用することも可能であり、連続的スペクトルであるとともに、ｇ線、ｈ線、ｉ線を輝線が含まれる連続的スペクトル光を発光する放電ランプが適用可能である。あるいは、他の複数の輝線を含まれる連続的スペクトル光を発光する放電ランプを使用してもよい。この場合、測光装置は、放電ランプの特性に合わせた分光感度特性をもつように構成される。また、第１の実施形態のように露光装置へ照度測定装置が組み込まれている場合、フィルタによって感度特性をもつ構成にしてもよい。
【００５５】
以下では、本発明の実施例について説明する。
【実施例】
【００５６】
本実施例は、第１、２の実施形態で説明した分光感度特性をもつ受光部を備えた照度計によって構成される。従来の分光感度特性を有する受光部を備えた照度計との比較実験を行った。
【００５７】
図７は、ｉ線（３６５ｎｍ）に応じた従来受光部（以下では、第１従来受光部という）の分光感度特性を示した図である。図８は、ｈ線（４０５ｎｍ）に応じた従来受光部（以下では、第２従来受光部という）の分光感度特性を示した図である。
【００５８】
図７に示す分光感度曲線Ｌ３は、およそ３５５ｎｍをピーク感度とした分布曲線であり、ｉ線（３６５ｎｍ）付近の短波長側に最大の感度がある。ｈ線（４０５ｎｍ）の波長における感度比Ｒ３１＝０、ｉ線（３６５ｎｍ）の波長における感度比Ｒ３２＝０．９０であり、分光感度曲線の半値幅△λ／２＝４０ｎｍである。
【００５９】
図８に示す分光感度曲線Ｌ４は、およそ４０５ｎｍをピーク感度とした分布曲線であり、ｈ線（４０５ｎｍ）付近の短波長側に最大の感度がある。ｇ線（４３６ｎｍ）の波長における感度比Ｒ４１＝０．７５、ｈ線（４０５ｎｍ）の波長における感度比４２＝０．９９、ｉ線（３６５ｎｍ）の波長における感度比Ｒ４３＝０．３５であり、分光感度曲線の半値幅△λ／２＝７５ｎｍである。いずれの分光感度曲線も、自己吸収などによるノイズ的スペクトル変動の影響を受け易い波長域にピーク感度を設けている。
【００６０】
図９は、図７、８に示す第１、第２従来受光部を使って定照度点灯制御を行ったときのランプ供給電力の変動を示したグラフである。図１０は、本実施例の受光部を使って定照度点灯制御を行ったときの電力変動を示したグラフである。ここでは、放電ランプとして、水銀０．２ｍｇ／ｍｍ３以上の超高圧水銀ランプを使用し、定照度点灯制御を行った。
【００６１】
図７、図８に示す第１、第２従来受光部を使用した照度計の場合、ランプの使用中、大きな電力変動が連続的に絶え間なく生じている（図９のＭ１、Ｍ２参照）。これは、ノイズが支配的な放電変動に影響されて不正確な照度を検出してしまい、それに合わせて大きな電力変動を伴う不必要な電力調整が行われていることを表す。
【００６２】
図１０は、本実施例の受光部を使って定照度点灯制御を行ったときのランプ供給電力の変動を示したグラフである。図１０に示すように、大きな電力変動がほとんど生じることなく電力調整が行われている。これは、上述した本実施例の受光部を使うことによって、ノイズが支配的となった放射スペクトル変動に影響されることなく、全体的なスペクトルパワーを的確に検出し、適正な電力調整が行われていることを示している。なお、図１０では第１実施形態に応じた実施例である放電ランプの電力変動を示しているが、第２実施形態に応じた実施例である放電ランプにおいても、同様に大きな電力変動を伴わない。
【００６３】
次に、放電ランプへの供給電力を変化させたときのスペクトル相対的積算強度およびスペクトル相対的積算強度の変化について比較実験を行った。照度計については、本実施例のうち第１の実施形態に応じた実施例を使用し、従来例と比較した。
【００６４】
図１１は、供給電力を段階的に調整したときに測定される分光分布の変化を示した図である。電力を１７０Ｗ〜２５０Ｗの範囲で２０Ｗずつ段階的に変化させ、そのときのスペクトル分布ＳＬ１〜ＳＬ５が図示されている。供給電力が減少するほど、分光分布曲線のスペクトル強度が全体的に下がる。なお、図１１に示すスペクトル分布は、放電ランプから放射され、光学系を通過した光をマルチ側光システムＭＣ−３０００−２８Ｃ（大塚電子株式会社製）によって測定した分光分布曲線に基づき作成したグラフである。
【００６５】
図１２は、スペクトル相対積算強度を電力ごとにプロットしたグラフである。ここでは、供給電力ごとに計測される分光分布曲線に対し、受光部の感度曲線で乗算した値を積算した相対的積算値を、各受光部で対比してグラフ化している。ここで、供給電力が２５０Ｗのときの第２従来受光部の積算値を基準（１００％）として、各受光部の供給電力における積算強度の割合を示している。
【００６６】
例えば、本実施例の受光部については、図１１で示した供給電力ごとに計算される分光分布曲線に対して、図２で示した分光感度曲線で単位波長（１ｎｍ）毎に乗算し、３００ｎｍから５００ｎｍの間での積算値を求め、同じ方法で算出した供給電力が２５０Ｗのときの第２従来受光部の積算値に対する割合として示している。
【００６７】
図１２に示すように、各受光部におけるスペクトル相対積算強度は、供給電力２５０Ｗを基準として低下し、電力変化量にほぼ比例して積算強度が低下していく。本実施例の受光部および第２従来受光部を使用したとき、全体的にスペクトル相対的積算強度が大きい。
【００６８】
図１３は、スペクトル相対的積算強度の変化率を示したグラフである。ここでは、入力電力１７０Ｗのときを基準としたときの積算強度の変化率が比によって表されている。変化率が大きいほど、分解能が高くより細かく積算強度の変化を検出することができ、精密に照度変動を把握することができる。図１３に示すように、本実施例の受光部を使用したときの変化率が最も大きい。
【００６９】
以上に示すように、本実施例の受光部を使用することによって、ノイズが支配的な放電変動に影響されることなく、かつ、実際の放電変化（照度変化）を精密に把握することが可能となる。したがって、本実施例の受光部を使用することにより、輝度測定、光量測定など他の測光演算についても正確に行えることは明らかである。
【符号の説明】
【００７０】
１０  露光装置
２１  放電ランプ
３０  照度演算制御部
４０  受光部
４１  受光素子
４２  フィルタ
５０  照度測定制御装置
１００  照度計
１１０  受光部
１１４  フィルタ
１２０  本体
【図１】
0005723652.tif 000002
【図２】
0005723652.tif 000003
【図３】
0005723652.tif 000004
【図４】
0005723652.tif 000005
【図５】
0005723652.tif 000006
【図６】
0005723652.tif 000007
【図７】
0005723652.tif 000008
【図８】
0005723652.tif 000009
【図９】
0005723652.tif 000010
【図１０】
0005723652.tif 000011
【図１１】
0005723652.tif 000012
【図１２】
0005723652.tif 000013
【図１３】
0005723652.tif 000014